(57)【要約】【課題】視覚障害者が間違うことが無く、確実に認知できる点字プレートと、それを取り付けたドア、パーティション等の家具・建材を提供する。【解決手段】本発明に係る点字プレートは、数符と数字記号の組み合わせで表わされる点字数字を複数形成して所定の数値を表示する点字数字プレート１であって、点字数字２を縦ｎ個×横ｍ個並べたｎ行×ｍ列の点字数字を形成し、表示したい数値の点字数字３を拡大して表示するものである。また、本発明に係る点字付き建材は、上記点字数字を拡大表示した点字プレートを取り付けたものである。【選択図】図１
2006317558.tif 000002
【特許請求の範囲】
【請求項１】
数符と数字記号の組合わせで表わされる点字数字を複数形成して所定の数値を表示する点字プレートであって、
前記点字数字を縦ｎ個×横ｍ個並べたｎ行×ｍ列の点字数字を形成し、表示したい数値の点字数字を拡大して表示することを特徴とする点字プレート。
【請求項２】
前記縦ｎ行×横ｍ列のｎは１０であり、各列は上から１乃至９を数値順に並べた最後に０が並べられており、上からｈ行目、右からｉ列目の前記拡大表示点字数字が、ｉ桁目の数値が１乃至９及び０のうちｈ番目の数値である数値を表すことを特徴とする請求項１記載の点字プレート。
【請求項３】
前記点字プレートの数字を表す点字を、五十音、アルファベット等の文字を表す点字としたことを特徴とする請求項１又は請求項２に記載の点字プレート。
【請求項４】
請求項１乃至請求項３のいずれか１項に記載の点字プレートを、家具・建材に取り付けて点字付き建材としたことを特徴する点字付き建材。
【発明の詳細な説明】
【技術分野】
【０００１】
本発明は、視覚障害者用の点字プレートに関し、詳しくは表示したい文字を拡大して表示するようにした点字プレートと、それを取り付けたドアやパーティション等各種の点字付き家具・建材に関するものである。
【背景技術】
【０００２】
従来より、諸管庁、病院、駅舎、ホテル等の人の多く集まるところには、建造物内のトイレ、エレベータ、階段手摺り等に案内用の点字表示物が付設されて、視覚障害者への配慮がなされている。
図９、図１０はこうした従来の点字プレートを示す図である。図９は点字の製造工程を示す側面断面図で、ステンレス、アルミニューム、真鍮、丹銅版、銅、鉄などの金属材料、あるいは各種の合成樹脂材料からなる薄板状のシート材３１０を使用した化粧プレート３００上の、点字が形成される位置に、例えば、１ｍｍ径程度の小径孔３２０を穿設しておいて、図示していない、予めＮＣ制御により作成された点字金型の高さ３５０〜５５０μｍ、直径１．２〜１．７ｍｍの点状突起を形成するための型孔に紫外線硬化樹脂材２００を充填して、その型孔と対応する化粧板３００の小径孔３２０が合うように点字金型と化粧プレート３００とを密着させて紫外線を照射して樹脂材を硬化させ、点字金型を取り外し化粧プレート３００上に点字突起部２００を形成する。最後に化粧プレート３００の裏面から小径孔３２０内に硬化樹脂材２００ａを注入して点字突起部２００を固定させる。
このようして図１０の平面図に示すように、化粧プレート３００上に複数の点字突起２００が形成される。なお、図１０には５を表す数字点字を図示しているが、実際は、各種の数字、文字が複数表示される。この点字プレートには更に突起部をバツクライトにより照明して、全盲者だけではなく弱視者や付添者などの健常者も対象としている。また、点字形成を樹脂整形の例を一例として示したが、これ以外にも各種材質による各種の製造方法が可能である（特許文献１参照）。
その他では、音声サービスを併用したり、エレベータの階表示では、例えば、該当階に到達したら点字プレートを振動させて知らせる、等のサービスを拡大させたものなどもある。
【特許文献１】特開２００３−２６３１００号公報（図２）
【発明の開示】
【発明が解決しようとする課題】
【０００３】
しかしながら、特許文献１に記載の点字プレートは、点字突起が小さいので認知に手間取ったり、認知間違いの危険があるという問題がある。
また、現代社会の状況として視覚障害者の社会参加が進み、公共施設のみではなく視覚障害者が働く稼働施設や、居住環境内でもこうした視覚障害者用の設備が要求される社会状況の下で、視覚障害者用の点字表示の付いたドア、パーティッション等の設備が極めて不足していて、最近の社会状況に対応していないという問題がある。
そこで、本発明は、表示したい点字を拡大表示させて、視覚障害者が間違うことが無く、確実に認知できる点字プレートと、それを取り付けたドア、パーティション等の家具・建材を提供することを目的としている。
【課題を解決するための手段】
【０００４】
上記目的を達成するため、請求項１に記載の発明は、数符と数字記号の組合わせで表わされる点字数字を複数形成して所定の数値を表示する点字プレートであって、点字数字を縦ｎ個×横ｍ個並べたｎ行×ｍ列の点字数字を形成し、表示したい数値の点字数字を拡大して表示することを特徴とする。
また、請求項２に記載の発明は、縦ｎ行×横ｍ列のｎは１０であり、各列は上から１乃至９を数値順に並べた最後に０が並べられており、上からｈ行目、右からｉ列目の拡大表示点字数字が、ｉ桁目の数値が１乃至９及び０のうちｈ番目の数値である数を表すことを特徴とする
また、請求項３に記載の発明は、点字プレートの数字を表す点字を、五十音、アルファベット等の文字を表す点字としたことを特徴とする。
また、請求項４に記載の発明は、請求項１乃至請求項３のいずれか１項に記載の点字プレートを、家具・建材に取り付けて点字付き建材としたことを特徴する。
【発明の効果】
【０００５】
本発明によれば、点字自体が大きくなった拡大点字数字と、拡大点字の位置情報の２つから、正確に数字点字を認知できる。
【発明を実施するための最良の形態】
【０００６】
以下、本発明の実施の形態について図を参照して説明する。
【実施例１】
【０００７】
図１は本発明に係る点字プレートの平面図である。
図１に示すように、１は点字プレートであり、点字プレート１には１０行、３列（ｎ＝１０、ｍ＝３）の点字数字２、３が形成されている。点字数字は、数字であることを示す「数符」と「数字を表す符合」を組み合わせて表示される。図１の点字数字はこのような表示で記載されている。以後、「数符」と「数字を表す符合」を組み合わせたものを点字数字と記す。
ここで、点字数字２は点字プレート１に於ける標準の大きさの標準点字数字、点字数字３は標準の大きさより大きい拡大点字数字である。各列には１〜９の点字数字が上から数値の小さい順から並べられ、一番下に０が並べられている。即ち、１〜９、０が縦に並んだ列が３列並んで構成されている。そして、各列に１個づつの点字数字が拡大されている。
なお、「標準」「拡大」の語句は相対的な大きさを表現するための語句であり、マトリックスス状に並べた点字数字が「標準」で、このマトリックスの各列で１個づつ存在する「標準」より大きい点字数字が「拡大」である。
【０００８】
図１に示す例では、左から１列目（右から３列目）は上から５番目の点字数字、即ち点字数字５、左から２列目（右から２列目）は最下行の点字数字、即ち点字数字０、左から３列目（右から１列目）は上から３番目の点字数字、即ち点字数字３が、それぞれ拡大点字数字で表示されている。
右から３列目が百、２列目が十、１列目が一の桁の数値を表しているので、数値５０３を表示できる。
図２は表示したい数字を拡大表示した図である。図２の場合の拡大数字は数字５を表示している。
通常、点字の大きさは指先で１字が同時に触れる大きさである必要があり、点字の大きさの拡大には制限がある。一般に、視覚障害者は点字を構成する点の大きさや高さの変化に敏感であり、標準点字数字では点は約１．２ｍｍφ、高さは０．３〜０．５ｍｍであるが、拡大点字のサイズは、例えば、点の大きさは１．２〜３、０ｍｍφ、高さは０．５〜２．０ｍｍ程度に拡大される。こうした拡大点字はＮＣ制御のパンチング・パレットで形成される。
【０００９】
このように、図１に示す点字プレート１は１列に１〜９、０の１０個の数字が所定の位置（図１の例では上から１、２、３、・・・９、０の順序に並んだ位置）に並んでいるので、拡大表示された数字点字と、その点字のプレート１上の位置との２つから正確に表示数字を認知できる。例えば、この場合の５は１列目（百の単位を認知）の上から５番目、下から６番目という情報から正確な認知が可能となる。
上記実施例では、ｎ＝１０、ｍ＝３で３桁の数字を表示する例を示したが、ｎ、ｍは様々な値をとり得る。例えば３階建て、各階に５部屋づつある集合住宅の部屋番号を、１１〜１５（１階）、２１〜２５（２階）、３１〜３５（３階）と表示する場合には、ｎ＝５、ｍ＝２でもよい。
また、ｎを１０以上として、数字の他にアルファベットや仮名（五十音）を表示してもよい。
【００１０】
図６、図７は上記展示プレート１を家具・建材に取り付けて点字付き建材とした例を示す。
図６は点字プレート１を取り付けたドア２０、図７は点字プレート１を取り付けたガラス３１と仕切り３２で構成されたパーティション（間仕切り）３０である。このようなドア２０やパーティションを用いることにより、病院、学校、ホテル、事務所、住居等の部屋番号や、間仕切りした部屋の番号等を点字で認識できる。
【００１１】
建築物の入口付近の外壁や、ドア、パーティション、家具等の屋内を個別に空間に区切る家具・建材に点字プレート１を取り付ける場合に、特許文献１の場合は、点字が金型で形成されるので、これをドア、パーティションに取り付けたタイプであると、工場出荷時に取り付けられた点字プレート１はユーザーサイドで変更できない。しかし、本実施例の例えば、図３、図４に示すように、各点字毎に点字ユニット１０（標準点字数字用）、点字ユニット１１（拡大点字数字用）のように形成して、図５のように、点字プレート１ａにクロスワードパズル式に点字体１０、１１をはめ込むような構造とすれば、ユーザーサイドで動的に点字数字を変更できる。従って、１枚構造の点字プレート１と、パスル構造の点字プレート１ａや、それに打刻式等も併用すればユーザーの選択の幅が広がる。
【００１２】
また、図６ではドア２０のノブ２１の右側に点字プレート１を取り付けたが、図８に示すように、ドア・ノブに直接点字プレート１を湾曲させて貼付ければ、わざわざ部屋のドア面の点字プレート１を探して部屋番号を確認するまでも無く、ノブ２１を掴めば部屋番号を確かめられるので、そのままドアの開閉ができるようになり便利である。
なお、ここまでは数字点字について説明したが、勿論、文字点字についても同様に扱うことが可能である。
【図面の簡単な説明】
【００１３】
【図１】本発明の点字プレートの平面図である。
【図２】図１の一部を拡大した図である。
【図３】本発明の標準点字数字用点字ユニットを示す図である。
【図４】本発明の拡大点字数字用点字ユニットを示す図である。
【図５】図３に示す点字ユニットを装着した点字プレートを示す図である。
【図６】図１に示す点字プレート付きドアを示す図である。
【図７】図１に示す点字プレート付きパーティションを示す図である。
【図８】図１に示す点字プレート付きドア・ノブを示す図である。
【図９】従来の点字プレートを示す断面図である。
【図１０】従来の点字プレートの平面図である。
【符号の説明】
【００１４】
１、１ａ  点字プレート
２    標準点字数字
３    拡大点字数字
１０  標準点字数字用ユニット
１１  拡大点字数字用ユニット
２０  点字プレート付きドア
２１  ドア・ノブ
３０  点字プレート付きパーティション
３１  ガラス部分
３２  腰パネル
【図１】
2006317558.tif 000003
【図２】
2006317558.tif 000004
【図３】
2006317558.tif 000005
【図４】
2006317558.tif 000006
【図５】
2006317558.tif 000007
【図６】
2006317558.tif 000008
【図７】
2006317558.tif 000009
【図８】
2006317558.tif 000010
【図９】
2006317558.tif 000011
【図１０】
2006317558.tif 000012